(57)【要約】【課題】ポンプの吸込み性能を向上させることにより高速回転を可能にし、低温時において吸込み不良によるキャビテーションの発生、騒音による吐出不良を防止する。【解決手段】ピストンポンプ２０は、回転されるシャフト２１がポンプハウジングジグ２２とカバー２３にベアリング２４、２５を介して支承されている。シャフト２１にはスプライン２６でスプライン嵌合されたシャフト２１と同時に回転可能にされたシリンダバレル２７が設けられ、シリンダバレル２７とカバー２３との間にシャフト２１と同心にバルブプレート２８がシリンダバレル２７に対して摺動自在に挟持されている。カバー２３には、作動油がバルブプレート２８の吸入ポート４７に吸込まれる際、該作動油の吸込みによる抵抗を回避するために、その内方に該吸入ポート４７に連通する凹部５４が設けられる。【選択図】図１
2006152819.tif 000002
【特許請求の範囲】
【請求項１】
ハウジング内にシャフトと共に回転可能に支持されたシリンダバレルの複数個のシリンダ室に軸方向摺動可能に嵌挿された複数個のピストンと、
前記ピストンの一端側の前記シリンダ室に開口する繭状の吸入ポート及び吐出ポートを有するバルブプレートと、
前記ピストンの他端頭部及びシューを介して摺接可能な斜板と
を備えるピストンポンプにおいて、
前記ハウジングに取付けられた前記バルブプレートが設置されているカバーに前記吸入ポートに連通する開口部を設け、該開口部に前記シリンダバレルの回転方向に沿って傾斜部が形成され、該シリンダバレルの回転により前記ハウジング内の作動油を前記吸入ポートに導くことを特徴とするピストンポンプ。
【発明の詳細な説明】
【技術分野】
【０００１】
本発明は、産業機械用または建設機械用等の油圧源に用いられるピストンポンプに関し、特に吸込み部分の改良に関する。
【背景技術】
【０００２】
従来、この種のピストンポンプは、シャフト３と共に回転可能にハウジング１内に支持されたシリンダバレル５に複数個のシリンダ室８が設けられ、該シリンダ室８に軸方向摺動可能に挿入にされた複数個のピストン６と、該ピストン６の一端側の各シリンダ室８に開口可能な吸入ポート１０及び吐出ポート１１を有するバルブシート９と、各ピストン６の他端側の頭部１８とシュー７を介して摺接する斜板４とを、備える。前記各ピストン６の他端１８及びシュー７には、各シリンダ室８に連通する自己吸入通路１９が設けられている。この自己吸入通路１９は、自己吸入を促進させるように強度的に可能な程度に大きく形成されている。
【０００３】
斜板４のシュー７との摺接面には、繭形吸入ポート１５がバルブプレート９の吸入ポート１０と円周方向で対応した位置に設けられている。この繭形吸入ポート１５は、吸入工程位置でシュー７の自己吸入通路１９とで連通するようにされ、また、繭形吸入ポート１５とでハウジング１内に開口する連通路１６が斜板４に設けられている。そして、ハウジング１には、吸入口１７が設けられており、該ハウジング１内に連通している。これによって、バルブプレート１１側ばかりでなく、斜板４側からも圧力流体を吸入させることができるようにしたので、流路面積増加分だけ吸入性能が向上する技術が本出願人によって提案されている（例えば、特許文献１参照）。
【特許文献１】実公平６−３９１００号公報（図１）
【発明の開示】
【発明が解決しようとする課題】
【０００４】
本発明は、前記本出願人に係るピストンポンプに関連してなされたもので、吸込み性能を向上させることにより高速回転を可能にし、低温時において吸込み不良によるキャビテーションの発生、騒音による吐出不良を防止したピストンポンプを提供することを目的とする。
【課題を解決するための手段】
【０００５】
上記の課題を達成するために、請求項１記載の本発明は、ハウジング内にシャフトと共に回転可能に支持されたシリンダバレルの複数個のシリンダ室に軸方向摺動可能に嵌挿された複数個のピストンと、
前記ピストンの一端側の前記シリンダ室に開口する繭状の吸入ポート及び吐出ポートを有するバルブプレートと、
前記ピストンの他端頭部及びシューを介して摺接可能な斜板と
を備えるピストンポンプにおいて、
前記ハウジングに取付けられて前記バルブプレートが設置されているカバーに前記吸入ポートに連通する開口部を設け、該開口部に前記シリンダバレルの回転方向に沿って傾斜部が形成され、該シリンダバレルの回転により前記ハウジング内の作動油を前記吸入ポートに導くことを特徴とするピストンポンプ。
本発明によれば、吸込み性能を向上させることができて高速回転を可能にし、低温時において吸込み不良によるキャビテーションの発生、騒音による吐出不良を防止することが可能になった。
【発明の効果】
【０００６】
本発明は、吸込み性能を向上させることができて高速回転を可能にし、低温時において吸込み不良によるキャビテーションの発生、騒音による吐出不良を防止することが可能になった。よって、産業機械用または建設機械用等に油圧源に用いられる多連ピストンポンプの吸込性能を向上させることができる。
【発明を実施するための最良の形態】
【０００７】
本発明の実施の形態に係るピストンポンプについて図面により詳細に説明する。図１は、本発明の実施の形態に係るピストンポンプ２０の概略構造を示す縦断面図である。
図１に示すように、ピストンポンプ２０は、図示しない原動機からの回転力によって回転させられるシャフト２１がポンプハウジング（ハウジング）２２とカバー２３にベアリング２４、２５を介して支承されている。シャフト２１にはスプライン２６でスプライン嵌合されたシャフト２１と同時に回転可能にされたシリンダバレル２７が設けられ、シリンダバレル２７とカバー２３との間にシャフト２１と同心にバルブプレート２８がシリンダバレル２７に対して摺動自在に挟持されている。
【０００８】
シリンダバレル２７には、複数のピストン２９がピストン穴３０に出入可能にされ、該シリンダバレル２７はスプリング３１によってバルブプレート２８側に付勢されている。シリンダバレル２７のピストン２９の出入り側には、該ピストン２９の頭部がピストンシュー３２を介して摺動可能にされた斜板３３が設けられ、該斜板３３は支点３４を中心にして傾転可能に支持されている。また、ピストン２９はスプリング３１により斜板３３側に付勢されている。前記支点３４は、例えば軸部３６より図１で見て上方に配置され、前記斜板３３にはピストン２９の反力を受け支点３４の回りに右回りに回転する力を受ける。この力に対向して斜板３３の上方には、スプリング３７がスプリング受け３８を介して付勢するように配置されている。ピン３９、４０及び皿ばね４１、４２は斜板３３が押し付けられたときの振動を吸収するためのものである。前記ピン３９、４０は、頭部４３、４４を備えてカバー２３に設けられた穴４５、４６に嵌着されている。
【０００９】
図２に示すように、バルブプレート２８には、その片側は半分にポンプ吸入ポート（図示しない）と連通する円弧状で幅広の吸入ポート４７が形成され、反対側に同心円周状に配置され複数の円弧状の貫通穴（吐出ポート）４８、４９が外側と内側に二重に穿設されている。一方、シリンダバレル２７のバレルプレート２８の側壁面５０には、ピストン２９の出入りによって作動油が給排可能に吐出ポート５１、５２が形成され、ピストン２９が２つのグループに分けられている。前記吐出ポート５１、５２は、交互にそれぞれ貫通穴４８、４９と連通するような位置に設けられ、該吐出ポート５１、５２は吸入側で吸入ポート４７に連通する（図３参照）。
【００１０】
バルブプレート２８の側壁面５３に係合するカバー２３には、作動油が該バルブプレート２８の吸入ポート４７に吸込まれる際、該作動油の吸込みによる抵抗を回避するために、その内方に該吸入ポート４７に連通する凹部５４が設けられる。前記凹部５４は、図４及び図５に示されるように、側壁面５３に係合するカバー２３の接合面５５に開口部が大きく、内方に対して横断面略台形状を有し、かつシリンダバレル２７の回転方向に沿って傾斜面５６が形成されている。
【００１１】
本発明の実施の形態に係るピストンポンプ２０は基本的には以上のように構成されたものであり、次にその動作及び作用効果について説明する。
シャフト２１が図示しない原動機により回転されると、シリンダバレル２７のピストン穴３０に挿入されたピストン２９及び該ピストン２９の他端部とピストンシュー３２が回転すると共に斜板３３に沿って往復動し、ポンプ吐出工程ではピストン２９によってピストン穴３０から吐出ポート、例えば吐出ポート５１より貫通穴４８、４９を通って作動油が吐出される。
吸入工程では、作動油がポンプハウジング２１に設けられた吸入口（図示しない）からバルブプレート２８の吸入ポート４７を通って作動油がシリンダバレル２７のピストン穴３０に流入する。この場合、作動油がピストン穴３０に流入する際、カバー２３にシリンダバレル２７の回転方向に沿って傾斜面５６を有する凹部５４が設けられているので、該シリンダバレル２７の回転によりポンプハウジング２２の作動油が凹部５４に貯蔵されてバルブプレート２８の吸入ポート４７に強制的に導かれる。
【００１２】
よって、作動油が凹部５４より吸入ポート４７に流れる際、該作動油を貯蔵しながら吸入ポート４７に吸込まれるので、吸込みによる抵抗を回避することでき、ポンプの吸込性能を向上させることができ、高速回転時、低温時の吸込み時のキャビテーションを防止することができる。
本実施の形態に係るピストンポンプ２０は、該ピストンポンプを他の油圧機器、例えばギヤポンプ、トロコイドポンプ等を接続した多連ピストンポンプとして使用することも勿論可能である。
【図面の簡単な説明】
【００１３】
【図１】本発明の実施の形態に係るピストンポンプ概略構成を示す縦断面図である。
【図２】図１のバルブプレートの正面図である。
【図３】シリンダバレルとバルブプレートとの摺接部軸方向の部分拡大図である。
【図４】図１のバルブプレートと係合する側のカバーの内方を示す概略構成を示す正面図である。
【図５】図４のＶ−Ｖ線の断面図である。
【符号の説明】
【００１４】
２０  ピストンポンプ
２３  カバー
２７  シリンダバレル
２８  バルブプレート
２９  ピストン
３３  斜板
４７  吸入ポート
５０、５３  側壁面
５１、５２  吐出ポート
５４  凹部
５５  接合面
５６  傾斜面
【図１】
2006152819.tif 000003
【図２】
2006152819.tif 000004
【図３】
2006152819.tif 000005
【図４】
2006152819.tif 000006
【図５】
2006152819.tif 000007